(57)【要約】      （修正有）【課題】変圧器、避雷器、高圧機器等の電気機器を設置した電柱、鉄塔等に取り付けられる接地端子装置であって、増設した接地極の導線の接続を簡単に行うことができる接地測定端子装置を提供する。【解決手段】電柱、鉄塔等の外周面に取付け可能な基盤２と該基盤に対し着脱可能な蓋材３を備え、前記基盤には、接地すべき電気機器からの導線を接続する端子６と、地中に埋設した接地極からの導線を接続する端子７と、これら両端子を互いに断続することのできる接続、切断可能な接続具２０とを備えた接地測定端子装置であって、前記端子は金属板からなり、前記基盤に形成した凹部に嵌め込んだ状態で、該基盤に突設した棒状突起を端子に設けた通孔に挿入して該突起の先端部を拡径することにより基盤に固定されていることを特徴とする。【選択図】図１
0003168609.tif 000002
【実用新案登録請求の範囲】
【請求項１】
電柱、鉄塔等の外周面に取付け可能な基盤と該基盤に対し着脱可能な蓋材を備え、前記基盤には、接地すべき電気機器からの導線を接続する端子と、地中に埋設した接地極からの導線を接続する端子と、これら両端子を互いに断続することのできる接続、切断可能な接続具とを備えた接地測定端子装置であって、前記端子は金属板からなり、前記基盤に形成した凹部に嵌め込んだ状態で、該基盤に突設した棒状突起を端子に設けた通孔に挿入して該突起の先端部を拡径することにより基盤に固定されていることを特徴とする接地測定端子装置。
【請求項２】
前記導線は、前記端子と、該端子に通挿された螺子によって押圧される断面コ字状の押圧具との間で挟圧保持されるようになっており、前記基盤には、前記螺子のねじ込みによって導線を挟圧する方向に移動する押圧具の脚部が嵌りこむことのできる穴が形成されている請求項１に記載の接地測定端子装置。
【考案の詳細な説明】
【技術分野】
【０００１】
本考案は、変圧器、避雷器、高圧機器等の電気機器を設置した電柱、鉄塔等に取り付けられる接地測定端子装置に関するものである。
【背景技術】
【０００２】
漏電による事故を防ぐため、変圧器、避雷器、高圧機器等を取り付けた電柱、鉄塔等には、接地工事が法律で義務付けられている。この接地工事は、電柱等から所定距離離れた位置に所定深さで接地極となる接地部材を埋め込み、該接地極に導線を接続することにより行われる。
【０００３】
この導線と電気機器に接続した導線とを接続するのであるが、両導線の接続は、電柱等に取り付けた接地測定端子装置を介して行われる。この接地測定端子装置は、電気機器からの導線を接続する第１の端子と、接地極からの導線を接続する第２の端子とを並べて設け、両端子を接続、切断自在な接続具で接続するようにしたものである。
【０００４】
このように、両導線の接続を切り離すことができるようにしておくのは、接地抵抗を測定するためであり、両者を接続したままでは正確な接地抵抗が測れないので、測定時に一時的に両者を切り離して接地極側の導線の接地抵抗を測定するのである。この測定は一定の期間ごとに行われ、経年変化等で接地抵抗が規定値よりも大きくなっている場合は、接地極の補修工事を行って、接地抵抗を規定値以下にすることが義務付けられている。
【考案の開示】
【考案が解決しようとする課題】
【０００５】
上記従来の接地測定端子装置は、接地極側の導線を１本しか接続することができず、しかも電柱建柱時に埋設された本来の接地極の導線は、電柱の内部を通して接地測定端子装置の位置まで導かれていることが多いので、測定した接地抵抗が規定値よりも大きい場合に、それを低減するため接地極を増設しても、その導線を元からある接地導線に接続するのがきわめて難しいという問題点があった。このため、本来の接地極の埋設位置を捜して、それに増設した接地極を接続していたが、地中に埋め込まれている接地極の位置を捜すのは容易ではなく、無駄な手間と時間を多く要していた。
【０００６】
上記従来の技術の問題点を解決するものとして、本願考案者は、増設した接地極の導線の接続を簡単に行うことのできる接地端子装置を開発し、既に特許権が成立している（特許文献１参照）。この特許文献１に記載の接地端子装置は、従来のものに比べて新たな導線の接続が容易であるため、実際の現場で多数実用されて好評を博している。本考案はこの接地端子装置をさらに改良して、より製造が簡単で耐久性も高く、実用上優れたものとすることを課題としている。
【０００７】
【特許文献１】特許第３２４９９８８号公報
【課題を解決するための手段】
【０００８】
上記課題を解決するため、本考案は次のような構成を採用した。すなわち、本考案にかかる接地測定端子装置は、電柱、鉄塔等の外周面に取付け可能な基盤と該基盤に対し着脱可能な蓋材を備え、前記基盤には、接地すべき電気機器からの導線を接続する端子と、地中に埋設した接地極からの導線を接続する端子と、これら両端子を互いに断続することのできる接続、切断可能な接続具とを備えた接地測定端子装置であって、前記端子は金属板からなり、前記基盤に形成した凹部に嵌め込んだ状態で、該基盤に突設した棒状突起を端子に設けた通孔に挿入して該突起の先端部を拡径することにより基盤に固定されていることを特徴としている。前記導線は、前記端子と、該端子に通挿された螺子によって押圧される断面コ字状の押圧具との間で挟圧保持されるようになっており、前記基盤には、前記螺子のねじ込みによって導線を挟圧する方向に移動する押圧具の脚部が嵌りこむことのできる穴が形成されていることが好ましい。
【考案の効果】
【０００９】
この接地測定端子装置は、基盤に並列に設けられている二つの細長い端子（電極）の両端部の位置では基盤が切り欠かれて凹部となっており、当該凹部に押圧具の下部が入り込めるようになっているので、導線の締め付けを十分に行うことができる。また、二つの細長い電極は、その長手方向の中間部に設けた通孔に基盤側に一体形成した棒状突起が挿通され、該棒状突起の端部を拡径して固定するので、当該電極の取り付けが簡単かつ確実である。
【考案を実施するための最良の形態】
【００１０】
以下、本考案の実施形態例について具体的に説明する。図は本考案の１実施形態を表すもので、この接地測定端子装置１は、プラスチック材で作られた基盤２と蓋材３で構成される。基盤２の背面部付近には、電柱に対する取付け手段として、金属ベルトを挿通するベルト穴５が設けられ、前面には上下方向の細長い金属板からなる二つの端子（電極）６、７が間隔をおいて並列に固着されている。
【００１１】
上記端子６，７は基盤２に設けられた浅く細長い凹部２ａに嵌め込んだ状態で固定されている。この端子６，７は、図４に示すように、その長手方向中間部に設けられた表裏に通ずる円形の通孔６ａ，７ａに基盤２の表面に突設した丸棒状突起２１を挿通し、該端子６，７の表面側で先端部を拡径することにより基盤２に固定されている。
【００１２】
第１の端子６は、電気機器からの導線を接続する端子であり、下端部には該導線を固定する固定部が設けられている。この固定部には、図５に示す如く、前記端子６の螺子穴に螺着される螺子９と、該螺子によって端子側へ押し付けられる断面コ字型の押圧具１０が設けられている。９ａはスプリングワッシャである。押圧具１０は、中央部に前記螺子が挿通される穴１０ａを有する金属板で形成され、その両端部は、背面側に屈曲する脚部１０ｂ、１０ｃとなっている。そして、一方の脚部１０ｂと螺子９との間、および裸子９と他方の脚部１０ｃの間の空間が導線保持部１１となっている。
【００１３】
第２の端子７は、接地極からの導線を接続する端子であり、上記第１の端子と同様に、導線を固定する固定部が下端部に設けられている。この固定部には、図３に示す如く、前記端子７を構成する金属基部材の螺子穴に螺着される螺子９と、該螺子によってスプリングワッシャ９ａを介して端子側へ押し付けられる押圧具１０が設けられている。押圧具１０は、中央部に前記螺子９が挿通される穴１０ａを有する金属板で形成され、その両端部は、背面側に屈曲する脚部１０ｂ、１０ｃとなっている。そして、これら両脚部１０ｂ、１０ｃと螺子９との間の空間がそれぞれ別々の導線を固定することのできる導線保持部１１、１１となっている。
【００１４】
基盤２の上記端子６，７の下端部にあたる位置には、裏面側に通ずる角型の穴２７，２７が形成されている。前記押圧具１０の脚部１０ｂ，１０ｃはこの穴２７内に嵌りこむように形成されているため、前記導線保持部１１に挿入された導線を強固に締め付けることができる。
【００１５】
一方、上記端子６，７の上端部の位置には、図２に示すように、ボルト穴２ｂ，２ｂが設けられ、図６に示すように、基盤２の裏側に設けた円柱状突起２８に嵌め込まれたナット部材２６に螺着される螺子（ボルト）９によって基盤２に取り付けられており下記接続具２０を保持している。図中の９ａはスプリングワッシャ、９ｂは該スプリングワッシャを受ける皿状のワッシャである。
【００１６】
上記第１および第２の端子６，７の上端部には、図１、図３に示すように、両端子を接続することのできる接続具２０が設けられている。接続具２０は、細長い金属板の一方の端部を螺子９で一方の端子（図では第１の端子６）に回動可能に取り付け、他方の端部には溝状の切り込み部２２を設けたもので、この切り込み部２２を他方の端子に設けた螺子９に係合させ、両螺子９，９を締め付けることにより、両端子を電気的に接続することができるようになっている。両方の螺子９，９をゆるめて、接続具２０を回動させ、第２の端子から取り外すことにより、両端子６，７の接続を断つことができる。
【００１７】
基盤２の下端部には、底板２５が一体に設けられ、この底板に３個の挿入口３０，…が開けられている。これら挿入口の一部は、基盤２の肉厚部にもかかるため、基盤表面にこれら挿入口に対応させて導線保持部に向かう溝３１，…が形成されている。基盤２の両側面にはフランジ状の凸条３４が形成され、蓋材３にはこの凸条が嵌合する溝３５が形成されている。基盤２の上方から、その凸条３４を溝３５に嵌合させて蓋材をスライドさせることにより、基盤２に蓋材３を取り付けることができる。
【００１８】
この接地測定端子装置１は、図７に示すように、電柱４０の中間部の、接地線取り出し口４１の位置に取り付けて使用される。この取り出し口４１には、電柱の内部を通して電気機器に接続された導線４６と、建柱時に埋設した接地極４７からの導線４８の端部が引き出されている。上記電柱への接地測定端子装置１の取り付けは、基盤２に設けられているベルト穴５に通したステンレス鋼のベルト４３を電柱の外周部に巻き付けて固定することにより行われる。なお、この固定は、例えばボルト等の固着具を用いて行ってもよい。
【００１９】
前記電気機器からの導線を第２の端子７に接続し、接地極からの導線を第２の端子に接続固定する。この固定は、導線を挿入口３０から挿入し、先端部を保持部に挿入して、押圧具１０、１０を締め付けることにより行われる。そして、接続具２０を切り離した状態で接地抵抗を測定し、規定範囲にあれば接続具２０で両端子を接続する。これにより、電気機器は有効に接地されたことになる。
【００２０】
次に、所定期間後に接地抵抗のチェックを行う時は、上記接続具２０を切り離して、第１の端子の接地抵抗を測定する。測定された接地抵抗が規定値以下であれば、そのまま再度接続具を接続しておけばよいが、測定値が規定値よりも大きい場合は、接地極の改修作業を行う。この改修作業は、通常新たな接地極を増設することにより行われる。
【００２１】
そして、新たに埋設した接地極５０に接続した導線５１を、図７に示すように電柱に沿わせたパイプ５３内を通して第２の端子に接続する。この場合、３個の挿入口のうち２個はすでに使用されているので、空いている第３の挿入口（Ａで示す）を通して端子に接続する。この接続は、挿入口３０から溝３１を通して第１の端子の空いている側の保持部に差し込み、押圧具１０で締め付けるだけでよいので簡単である。なお、押圧具の脚部内面を、線を中央寄りに案内する傾斜面としておけば、線の挿入を楽に行うことができ、線が保持部から外れることがないという利点が生じる。この接続により、本来の接地極に新たな接地極が並列に接続されたことになるので、接地抵抗を効果的に低減させることができるのである。
【図面の簡単な説明】
【００２２】
【図１】本考案の一実施例を表す外観図である。
【図２】その基盤の平面図である。
【図３】蓋材を取り外した状態を表わす接地測定端子装置平面図である。
【図４】その要部の断面図である。
【図５】その要部の断面図である。
【図６】その要部の断面図である。
【図７】接地極接続状態の説明図である。
【符号の説明】
【００２３】
１  接地測定端子装置
２  基盤
２ａ凹部
３  蓋材
６  第１の端子（電極）
７  第２の端子（電極）
１０  押圧具
２５  底板
２７  穴
３０  挿入口
【図１】
0003168609.tif 000003
【図２】
0003168609.tif 000004
【図３】
0003168609.tif 000005
【図４】
0003168609.tif 000006
【図５】
0003168609.tif 000007
【図６】
0003168609.tif 000008
【図７】
0003168609.tif 000009